(57)【要約】  本発明は、段ボール機械のための織物ベルトに関する。前記ベルトは、ベルトの縦方向（５）における引っ張り力を吸収する経糸と緯糸から成る第一織物層（２０）を有する。当該第一織物層（２０）を覆い経糸と緯糸から成る補助上側織物層（１０）が、段ボールを支持するペーパー面（１５）を形成する。織物層（１０，２０）は結合糸によって互いに織り合わされ、ペーパー面（１５）を形成する上側織物層（１０）は、ペーパー面から水分を放散させるために気化可能とする。蒸気透過性に不利益な影響を伴うことなく、ベルトとこれが支持する段ボール紙の間で高い摩擦結合を保証するために、高い摩擦係数を有した材料（２５’）の細片（２５）がペーパー面（１５）に設けられ、この細片はベルト（１）の縦方向に対し垂直に前記ベルト（１）の幅よりも狭くなっている。
2007515308.tif 000002
【特許請求の範囲】
【請求項１】
段ボール機械のための織物ベルトであって、ベルトの長手方向に作用する引っ張り力を受け経糸（２１，２２）と緯糸（４）から成る第一織物層（２０）と、当該第一織物層（２０）を覆い経糸（１１，１２，１３，１４）と緯糸（４）から成り段ボール紙を載せるためのペーパー面（１５）を形成する別の上側織物層（１０）とを有するベルトにして、上記両織物層（１０，２０）が互いに結合され、ペーパー面（１５）を形成する上側織物層（１０）が、ペーパー面から湿気を搬出するために蒸気透過性であるベルトにおいて、
ペーパー面（１５）を形成する上側織物層（１０）が、摩擦値を高めた材料（２５’）から成る細片（２５）を有し、その際、細片（２５）はベルト（１）の長手方向に対して横向きにベルト（１）の幅よりも狭く作り上げられていることを特徴とするベルト。
【請求項２】
ペーパー面（１５）に形成された織物層（１０）の幅に対して横向きに多数の細片が設けられていることを特徴とする請求項１に記載のベルト。
【請求項３】
隣接する細片の間に湿気搬出のための流出路（５０）が設けられていることを特徴とする請求項１又は２に記載のベルト。
【請求項４】
細片（２５）が、ペーパー面（１０）上にあり摩擦値を高めたコーティングを備えた経糸（１４”）から形成されていることを特徴とする請求項１〜３のいずれか一項に記載のベルト。
【請求項５】
ペーパー面（１０）の幅にわたって、摩擦値を高めたコーティング（２５’）を備えた多数の経糸（１４”）が任意に分布していることを特徴とする請求項１〜４のいずれか一項に記載のベルト。
【請求項６】
ペーパー面（１５）に形成された織物層（１０）の全ての経糸が摩擦値を高めてコーティングされていることを特徴とする請求項１〜５のいずれか一項に記載のベルト。
【請求項７】
コーティングがシリコーン又はポリウレタンから構成されていることを特徴とする請求項１〜６のいずれか一項に記載のベルト。
【請求項８】
緯糸及び／又は経糸の糸材料に、導電性金属繊維が混入されていることを特徴とする請求項１〜７のいずれか一項に記載のベルト。
【請求項９】
経糸及び／又は緯糸が、充分に押圧安定な横断面を有したモノフィラメントから構成されていることを特徴とする請求項１〜８のいずれか一項に記載のベルト。
【発明の詳細な説明】
【技術分野】
【０００１】
本発明は、請求項１の所謂プリアンブル部分（所謂おいて部分、前提部分）にしたがう段ボール接着機械のための織りベルトに関するものである。
【背景技術】
【０００２】
特許文献１から、段ボール接着機械のための織りベルトが公知になっており、当該ベルトは高い品質基準では長い稼動期間にわたって載置した物品の良好な脱水を保証する。増大する要求ゆえに、ベルトが十分に高い機械的強さを有することが保証されるべきものである。その結果、多層織物構造に行き着くこととなるが、この構造はベルトの透過性を不都合に減少させる。
【０００３】
また、織りベルトのペーパー面が不利な条件下で、または長めの使用期間の後にも小さな摩擦値のみを有し、それによってベルトの搬送性が損ねられ、載っている段ボール紙がずれることが確かめられた。
【０００４】
【特許文献１】WO 96/07788
【発明の開示】
【発明が解決しようとする課題】
【０００５】
本発明の基礎をなす課題は、長い運転期間にわたってもペーパー面の高い摩擦値が保証され、同時にベルトの蒸気透過性が損ねられず、載っている段ボール紙の急速な湿気除去をもたらすように、段ボール接着機械用のベルトを構成することにある。
【課題を解決するための手段】
【０００６】
上記課題は請求項１の特徴部分の特徴構成で解決される。
蒸気透過性に不利益な影響を伴うことなく、摩擦値を高めた材料から成る細片をペーパー面に設けられることによって、ベルトが不利な条件下でも、あるいは長めの使用期間の後にも、高い摩擦係数を有して、載っている段ボール紙が確実に且つ滑ることなく搬送され、製造プロセス中に位置が変わらないことが保証される。摩擦値を高めた材料から成る細片がベルトの幅よりも狭くできているので、選択されたコーティング材料に左右されずにベルトの蒸気透過性が維持されたままで、その結果、載っている段ボール製品の急速な湿気除去が保証される。良好な搬送特性の達成のためにベルトの幅に対して横向きに多数の細片が並んで置かれて設けられる場合、良好な蒸気透過性がもたらされる。ベルトにおける隣接する細片間に水分排出のための排水路が形成されていれば、好ましい。
【０００７】
本発明の特別な形態では、摩擦値を高めた材料から成る細片が、外側の摩擦値を高めたコーティングを担持する経糸自体によって形成される。そのような経糸は織りプロセス中にペーパー面に織り込まれ、そのペーパー面に存する外側で、摩擦値を高めた材料から成る幅の狭い細片を形成する。摩擦値を高めた材料細片を調達するための追加的な作業段階が省略可能である。
【０００８】
ペーパー面の幅にわたって、全体で織りプロセス中にペーパー面に織り込まれる多数の経糸が摩擦値を高めたコーティングを伴って任意に分布して配置されているのが好適である。ペーパー面を形成する織物層の全ての経糸が摩擦値を高めたコーティングを伴って構成され、その結果、ペーパー面の殆どほぼ完全なコーティングを達成するのが、また有利である。コーティングが多数の並置される経糸から組み立てられるので、隣り合う経糸の間に、織り構造と密度に応じて規則的な空洞と隙間が残され、その結果、ベルトの蒸気透過性が殆ど完全なコーティングにもかかわらず維持されたままである。
【０００９】
コーティングは好ましくはシリコーンから構成される。
本発明の更なる構成において、緯糸及び／又は経糸の糸材料に導電性金属繊維が混ぜられ、その結果、静電荷電が大幅に回避される。混在された金属繊維を伴う糸材料は、ペーパー面に形成された織物層にも、中間織物層にも、場合によっては更に別の織物層にも設けられ得る。
【００１０】
高い織物密度の場合にもベルトの蒸気透過性を保証するために、その特性がベルトの蒸気透過性を保障するモノフィラメントから成る経糸及び／又は緯糸が用いられることが想定される。例えば円形、楕円形等の横断面のノモフィラメントはその横断面形状を高い押圧の場合にも大幅に変更せず、その結果、高めのパッキング密度の場合にも個々のモノフィラメントから構成される緯糸及び経糸の間に空洞が残される。織り構造に依存して、ベルトの蒸気透過性を単に織り構造に基づいて保証するために、この空洞は役立つ。
【００１１】
本発明の更なる特徴は従属請求項、明細書及び図面に挙げられ、以下に本発明の詳細に記載した実施例を示す。
【発明を実施するための最良の形態】
【００１２】
図１にベルト１の実施例を示す。好適にはプラスチック繊維、特にモノフィラメントから作られたベルト１は、上側織物層１０、引っ張り力を受ける中間織物層２０及び下側織物層３０を備えて成っている。中間織物層２０から離れた上側織物層１０の面は、織りベルト１のペーパー面１５を形成する。
【００１３】
織物層１０，２０，３０において、ベルト１の長手方向５（図２）に対して横向きに緯糸４が延在する。
上側織物層１０において、交互にずらして延在する４本の経糸１１，１２，１３，１４（図１、２）が備えられており、これらは中間織物層２０に対し内へ向かうだけでなく、ペーパー面に対し外へも向かって、例えば好ましくはそれぞれ少なくとも２本の緯糸４を越えて延びている。
【００１４】
引っ張り力を受ける中間織物層２０は、互いにずらして延在する２本の経糸２１，２２を有し、これらは好ましくは例えばそれぞれ２本の緯糸４に交差する。
特に補充して配置された下側織物層３０は、それぞれ互いにずれて延在する４本の経糸３１，３２，３３，３４から成っている。これら経糸は内側へ（中間織物層２０のほうへ）好ましくは１本の緯糸４だけを越えて延び、且つ好ましくは外側へ少なくとも３本の緯糸４を越えて延びている。他の配置も目的に適って可能である。
【００１５】
実施例において三つの織物層１０，２０，３０は、結合糸４０，４１，４２，４３を介して互いに結合されている。結合糸４０，４１，４２，４３は例えばそれぞれ二つの糸群に分割されており、一つの糸群を形成する結合糸４２，４３は互いにずれて延在し、上側織物層１０を中間織物層２０に結合させている。結合糸４２，４３は好ましくはそれぞれ交互に上側織物層１０における１本の緯糸４のまわりと、中間織物層２０における１本の緯糸４のまわりに案内され得る。これに対応するように、結合糸４０と４１から成る糸群は下側織物層３０を中間織物層２０に結合させている。
【００１６】
図４に示され、図１〜３と関連して明らかなように、実施例においては、ペーパー面１５を形成するベルト１の上側織物層１０は、摩擦値を高めたコーティングから成る多数の細片２５を張り付けられ、当該細片はベルト１の長手方向５に延び、互いに間隔をおいており、載っている段ボール紙とベルトの間の摩擦係数を高める。段ボール紙は十分に滑ることなく載っていて、搬送中にベルト１上に確実に保持され位置固定されている。コーティング細片２５はベルトの幅よりも狭く、コーティングにもかかわらず蒸気透過性を維持したままである。
【００１７】
代替的に若しくは追加的に、経糸１３’も摩擦値を高めたコーティング２５’を備える。当該経糸はペーパー面１５でのその位置に基づいて摩擦値を高めたコーティング細片を形成する。その際、ベルトの長手方向において個々の経糸１３’は摩擦値を高めたコーティングを織り込まれるか、ペーパー面１５の全ての経糸１１’，１２’，１３’，１４’及び／又は緯糸４’がまた摩擦値を高めたコーティングを備えて作り上げられる。ペーパー面の経糸はぴったり並んで横たわっているが、作り上げられた織り構造及び／又は例えば糸横断面の選択や糸材料（モノフィラメント）の選択に基づいて、密で不通過性のコーティングを構成せず、隣接する糸の間の隙間に基づいて蒸気を透過するコーティングを構成して、その結果、ペーパー面から急速に湿気（水分）が搬出される。
【００１８】
本発明の更なる構成において、図４から分かるように、ベルト１の上側織物層１０に、ベルト１の長手方向５に延びる少なくとも１本の経糸１４”が配置されている。この経糸は、空洞形成する糸材料から成り、要するにベルトの残りの範囲を構成する他の上側織物層１０の経糸１１，１２，１３，１４とは異なる糸材料から成っている（図２）。紙を形成する織物層１０の個々の経糸１４”は、流出路５０と関連している空洞形成糸材料から構成されている。各流出路５０は好適には織物に機械的に織り込まれた空洞として備えられ、これはペーパー面からベルトの下側の方へ延び、ベルトのコーティングのない範囲の水分を急速に且つ効果的に取り除く。好ましくは、空洞５０はペーパー面と反対側のベルト下側に通じて、ベルトを通って突き出る空洞として形成されている。それで（図４に示されるように）空洞５０は排出の様式にしたがって構成されており、これによって上側織物層１０のペーパー面の蒸気がベルト１から排出される。
【００１９】
緯糸４’乃至経糸１１’，１２’，１３’，１４”は好ましくは機械的に織り込まれた流出路５０と交差する。とりわけ流出路５０は緯糸と経糸の交点に配される。
【００２０】
空洞形成する糸材料として、例えば多くの澱粉部分を有した糸材料が使用可能で；好ましくは糸材料が完全に澱粉からなっている。これは、乾燥状態で澱粉から成る或いは高部分の澱粉を有した空洞形成糸が加工可能であるという結果となる。織物構造において当該糸は、液体、特に水と接触する際に溶ける位置ホルダーを形成する。織物から澱粉の溶解・洗い流しの後に生じる欠損位置が流出路、流出溝等を形成して、それぞれ機械的に織り込まれた流出路５０となる。このようにして、流出路５０の間の範囲において流出格子の様式が存して、生じた液体を直接、機械的に織り込まれた流出路５０に通して、織りベルト上にあるものを素早い脱水することとなる。その際、空洞形成する糸材料から成る経糸は或る作業時間後に長手方向に延びる縦路を、そしてそのように空洞形成する糸材料から成る緯糸４’は横路を形成する。縦路と横路とは織物構造（経糸／緯糸）のために交差するので、横路と縦路とは互いに流れを伝えるように結合している。それで液体の急速な搬出が生じる。
【００２１】
空洞形成する糸材料として、空洞繊維も使用可能である。生じる磨滅のために空洞繊維は長い作業時間の間に開けられ、その内側空洞自体が、経糸乃至緯糸の長手方向に延びる流出路を形成する。
【００２２】
流出構造を深さにおいても続けるために、別の織物層２０，３０の経糸乃至緯糸もまた空洞形成する糸材料から設けられ得る。また個々の結合糸も空洞形成する糸材料から成り、それによって織物構造において織物層１０から別の織物層２０に延びる流出路が達成され得ることとなる。
【００２３】
織り構造の障害の回避のために、空洞形成する糸材料が経糸、緯糸若しくは結合糸に対する補助糸として備えられることが目的に適う。織物構造を決定する経糸、緯糸及び結合糸はその総数を変えずにそのままで、経糸及び／又は緯糸及び／又は結合糸に補充して空洞形成する糸材料からなる糸が補助糸として付け加えられる。当該補助糸は位置ホルダーとして後に所望の流出路を形成する。
【００２４】
図５は、別に織られたベルト２の縦断面での概略図である。ベルト２は上側織物層５０と下側織物層６０とから成っている。ペーパー面を形成する上側織物層５０において、互いにずれて配置された４本の経糸５１，５２，５３，５４が延び、下側織物層６０では、互いにずれて配置された４本の経糸６１，６２，６３，６４が延びている。緯糸６が長手方向７に対して横向きに延在し、経糸がそれぞれ２本の緯糸６を越えて延在する。上側織物層５０と下側織物層６０とは、結合糸４４，４５によって互いに織られ、その際、結合糸は互いにずれてそれぞれ１本の緯糸６を越えて延在する。
【００２５】
図６は上側織物層の平面概略図であり、図７は図６での同じベルト部分の下側織物層の平面概略図である。４本の経糸５１，５２，５３，５４が隣り合って配置され、それに続いて２本の結合糸４４，４５が配置されている。下側織物層６０の糸は図７に示されるように相応して織られている。上側織物層５０の経糸５２と下側織物層６０の経糸６２，６４は残りの経糸よりも大きな径を有する。それによって流出路が形成される。その際、上側織物層５０が下側織物層６０よりも多くの流出路を有する。流出路はまた、経糸５１〜５４と６１〜６４の糸構造によっても形成可能である。このために糸が例えば溝をその長手方向に有し得る。
【００２６】
図８，９，１０に、上側織物層７０と下側織物層８０を有するベルト３が示されている。上側織物層７０の経糸７１〜７４と下側織物層８０の経糸８１〜８４とが、図５での経糸５１〜５４と６１〜６４に対応して延びている。上側織物層７０と下側織物層８０とは結合糸４６，４７を介して互いに織り込まれ、その際、結合糸４６，４７はそれぞれ織物層７０，８０の１本の緯糸８を越えて延在する。図９はベルト３の概略平面を示す。経糸７１〜７４は隣り合って織られ、それに続いて結合糸４６，４７がある。流出路が織物層７０の各二番目の経糸列の省略によって形成され、その結果、結合糸４６，４７上に改めて結合糸４６，４７が続き、これに経糸７１〜７４の更なる列がつながっている。図１０にベルト３の下側の平面図として示された下側織物層８０は、図７に示されたベルト２の下側織物層６０に対応して延び、その際、下側織物層８０の経糸８１〜８４は全て等しい径を有し得る。
【００２７】
ベルト１，２，３の耐温性と磨耗耐性を高めるために、ベルト長手方向５，７でのベルトの縁領域において、高い耐温性を有した糸材料、特にパラ・アラミド（Para-Aramide、商品名）又はケブラー（Kevlar、商品名）を織り込むことが可能である。温度耐性のある糸はまた、上側織物層１０，５０，７０若しくは下側織物層３０，６０，８０の全幅にわたって、又は下側織物層と上側織物層の両方で延在する。流出路５０はまた開口としてウェブ構造に形成可能である。このために例えば織物層の隣接する経糸を組むことができる。
【００２８】
糸材料は６５％のポリエステルと３５％のビスコースから成り得る。しかしながら他の組成が都合のよいこともある。糸材料としてモノフィラメントを用いるのが好適である。
【００２９】
摩擦値を高めた細片用の材料としてシリコーンを用いるのが好適である。ポリウレタンも好ましい。
ベルトを静電防止に構成するために、緯糸及び／又は経糸の糸材料に導電性金属繊維を混ぜることが想定される。加えられた導電性金属繊維、例えばスチール繊維を備えた材料から成る緯糸又は経糸は、上側織物層に、引っ張り力を受ける織物層に、又は別の織物層にも備えられ、その際、糸がペーパー面に設けられているのが好適である。ベルトの静電防止特性を著しく改善するために、ペーパー表面における個々の緯糸及び／又は経糸のみが金属繊維を含む材料から構成されていれば、十分である。
【００３０】
モノフィラメントから成る緯糸及び／又は経糸が用いられる場合、モノフィラメントの材料特性は好ましくは排出路の形成のために用いられ得る。モノフィラメントは基本的に押圧安定な横断面形状を有し、その結果、（密で堅い織り様式の場合にも）横断面形状が殆ど変化を受けない。これによって、例えば円形、楕円形等の横断面形状を有したモノフィラメントが用いられる場合に織り構造において隙間、空洞等が残される。この狭いパッキング密度でも存在する空洞や隙間は、ペーパー面から湿気（水分）を搬出する経路を形成するように、織り構造に織り込まれる。
【図面の簡単な説明】
【００３１】
【図１】織りベルトの長手方向断面図である。
【図２】ペーパー面を形成した上側織物層の部分平面図である。
【図３】ベルトの下側織物層の外側平面図である。
【図４】図１に係るベルトのペーパー面の概略平面図である。
【図５】別の織りベルトの長手方向の概略断面図である。
【図６】図５のベルトのペーパー面を形成した上側織物層の概略平面図である。
【図７】図５のベルトの下側織物層の概略平面図である。
【図８】別の織りベルトの長手方向の概略断面図である。
【図９】図８のベルトのペーパー面を形成した上側織物層の概略平面図である。
【図１０】図８のベルトの下側織物層の概略平面図である。
【符号の説明】
【００３２】
１    ベルト
５    長手方向
１０    上側織物層
１５    ペーパー面
２０    第一織物層
２５    細片
【図１】
2007515308.tif 000003
【図２】
2007515308.tif 000004
【図３】
2007515308.tif 000005
【図４】
2007515308.tif 000006
【図５】
2007515308.tif 000007
【図６】
2007515308.tif 000008
【図７】
2007515308.tif 000009
【図８】
2007515308.tif 000010
【図９】
2007515308.tif 000011
【図１０】
2007515308.tif 000012
【国際調査報告】
2007515308.tif 000013
2007515308.tif 000014
2007515308.tif 000015
2007515308.tif 000016
2007515308.tif 000017
2007515308.tif 000018